(57)【要約】【課題】薄型化された筐体において弾性部材によって補強部材を固定することを課題とする。【解決手段】補強部材を有する電子装置は、第１のカバー部材と、前記第１のカバー部材と対向させて組み合わされる第２のカバー部材と、を有する筐体と、前記第１のカバー部材と前記第２のカバー部材との間に配置されている補強部材と、を備え、前記第２のカバー部材は、貫通孔を有するとともに、前記貫通孔を通過して前記第１のカバー部材側に向かって延び、前記第１のカバー部材と前記第２のカバー部材とが組み合わされた状態とされたときに、前記補強部材を前記第１のカバー部材側に押圧する突起部を有する弾性部材を備えている。【選択図】図８
2018060900.tif 000002
【特許請求の範囲】
【請求項１】
第１のカバー部材と、前記第１のカバー部材と対向させて組み合わされる第２のカバー部材と、を有する筐体と、
前記第１のカバー部材と前記第２のカバー部材との間に配置されている補強部材と、
を備え、
前記第２のカバー部材は、貫通孔を有するとともに、前記貫通孔を通過して前記第１のカバー部材側に向かって延び、前記第１のカバー部材と前記第２のカバー部材とが組み合わされた状態とされたときに、前記補強部材を前記第１のカバー部材側に押圧する突起部を有する弾性部材を備えている補強部材を有する電子装置。
【請求項２】
前記第２のカバー部材は、前記第１のカバー部材と対向する面側に位置している前記貫通孔の開口縁部に、押圧されて変形した前記突起部が収容される逃げ代部を備えている請求項１に記載の補強部材を有する電子装置。
【請求項３】
前記逃げ代部は、前記貫通孔の開口縁部において、前記第２のカバー部材の外側に向かって拡がっている請求項２に記載の補強部材を有する電子装置。
【請求項４】
前記第２のカバー部材は、液晶ユニットの周囲に配置されている枠状部を含み、前記貫通孔は、前記枠状部に設けられている請求項１乃至３のいずれか１項に記載の補強部材を有する電子装置。
【請求項５】
前記弾性部材は、前記第１のカバー部材と対向する面の裏側の面に露出している保護部材である請求項１乃至４のいずれか１項に記載の補強部材を有する電子装置。
【発明の詳細な説明】
【技術分野】
【０００１】
本明細書開示の発明は、補強部材を有する電子装置に関する。
【背景技術】
【０００２】
従来、電子機器の筐体において静電気対策及び防塵対策を図る提案がされている（例えば、特許文献１参照）。特許文献１には、電子機器の表示装置と筐体の内面との間にスリットを備えた板金部材を配置し、この板金部材と筐体との間に弾性変形可能な緩衝材を配置することで、緩衝材を一つで済ませることが開示されている。また、液晶ディスプレイ等の表示部上に配置されるタッチパネルなどの入力部の表面に設けられているフィルムが経時変化等により膨れること等に対処すべく、緩衝部材となるガスケットを用いる提案がされている（例えば、特許文献２参照）。さらに、液晶表示パネルの帯電除去を高い信頼性を以て行うことを目的として導電性を有する第１フレームと、絶縁性を有する第２フレームとに挟まれた導電性を有する弾性体を配置することが知られている（例えば、特許文献３）。
【先行技術文献】
【特許文献】
【０００３】
【特許文献１】特開２００４−３５４７３１号公報
【特許文献２】特開２００３−２９６０２３号公報
【特許文献３】特開２０１１−２０３６３８号公報
【発明の概要】
【発明が解決しようとする課題】
【０００４】
ところで、昨今、モバイル端末やノートＰＣ（Personal Computer）等の電子装置が備えているディスプレイは大型、薄型化している。大型、薄型化したディスプレイの筐体は、そのままでは撓みやすい。そこで、ディスプレイに補強部材を設けることが行われている。このような補強部材は、筐体やディスプレイユニットにネジ固定することができるが、ネジ固定は作業工数が多くなる。また、筐体内に、複数種類の無線通信用アンテナを実装しなければならない等の理由により、ネジ止めする領域を確保することが困難になってきている。このため、筐体を構成する一方のカバー部材と、他方のカバー部材内に配置されている補強部材との間にゴム等の弾性体を挟み、双方のカバー部材を接合して閉じる際に、弾性体で補強部材を押圧し、固定する構成が採用されることがある。ところが、ディスプレイユニットが薄くなり、筐体も薄型化されると、これに伴って筐体内に配置される弾性体の厚みが確保し難くなる。弾性体の厚みが確保されなくなると、補強部材を固定するための弾性力を確保することができなくなり、問題となる。
【０００５】
特許文献１乃至３は、いずれもこのような問題を解決するものとはなっていない。
【０００６】
１つの側面では、本明細書開示の補強部材を有する電子装置は、薄型化された筐体において弾性体によって補強部材を固定することを課題とする。
【課題を解決するための手段】
【０００７】
本明細書開示の補強部材を有する電子装置は、第１のカバー部材と、前記第１のカバー部材と対向させて組み合わされる第２のカバー部材と、を有する筐体と、前記第１のカバー部材と前記第２のカバー部材との間に配置されている補強部材と、を備え、前記第２のカバー部材は、貫通孔を有するとともに、前記貫通孔を通過して前記第１のカバー部材側に向かって延び、前記第１のカバー部材と前記第２のカバー部材とが組み合わされた状態とされたときに、前記補強部材を前記第１のカバー部材側に押圧する突起部を有する弾性部材を備えている。
【発明の効果】
【０００８】
本明細書開示の補強部材を有する電子装置によれば、薄型化された筐体において弾性体によって補強部材を固定状態することができる。
【図面の簡単な説明】
【０００９】
【図１】図１は表示部筐体を備える実施形態の電子装置の斜視図である。
【図２】図２は実施形態における表示部筐体の分解斜視図である。
【図３】図３（Ａ）〜図３（Ｆ）は裏面側カバー部材の６面図である。
【図４】図４（Ａ）は図３（Ａ）におけるＹ２−Ｙ２断面図である。図４（Ｂ）は図３（Ａ）におけるＹ３−Ｙ３断面図である。図４（Ｃ）は図３（Ａ）におけるＹ４−Ｙ４断面図である。
【図５】図５（Ａ）〜図５（Ｆ）は表面側カバー部材の６面図である。
【図６】図６（Ａ）は図５（Ｄ）におけるＸ２部分の拡大図である。図６（Ｂ）は図５（Ｂ）におけるＸ３部分の拡大図である。図６（Ｃ）は図５（Ｃ）におけるＸ４部分の拡大図である。
【図７】図７は実施形態の表示部筐体の一部を拡大して示す説明図である。
【図８】図８（Ａ）は離した状態の裏面側カバーの一部と表面側カバーの一部とを拡大して示す説明図であり、図８（Ｂ）は組み合わせた状態の裏面側カバーの一部と表面側カバーの一部とを拡大して示す説明図である。
【図９】図９（Ａ）〜図９（Ｃ）はそれぞれ貫通孔の形状の例を示す説明図である。
【図１０】図１０は逃げ代部の形状の例を示す説明図である。
【発明を実施するための形態】
【００１０】
以下、本発明の実施形態について、添付図面を参照しつつ説明する。ただし、図面中、各部の寸法、比率等は、実際のものと完全に一致するようには図示されていない場合がある。また、図面によっては、説明の都合上、実際には存在する構成要素が省略されていたり、寸法が実際よりも誇張されて描かれていたりする場合がある。
【００１１】
（実施形態）
まず、図１〜図９（Ｃ）を参照して、実施形態の表示部筐体１０について説明する。図１は表示部筐体を備える実施形態の電子装置の斜視図である。図２は実施形態における表示部筐体の分解斜視図である。図３（Ａ）〜図３（Ｆ）は裏面側カバー部材の６面図である。図３（Ａ）は正面図、図３（Ｂ）は上面図、図３（Ｃ）は下面図、図３（Ｄ）は右側面図、図３（Ｅ）は左側面図、図３（Ｆ）は背面図である。図４（Ａ）は図３（Ａ）におけるＹ２−Ｙ２断面図である。図４（Ｂ）は図３（Ａ）におけるＹ３−Ｙ３断面図である。図４（Ｃ）は図３（Ａ）におけるＹ４−Ｙ４断面図である。図５（Ａ）〜図５（Ｆ）は表面側カバー部材の６面図である。図５（Ａ）は正面図、図５（Ｂ）は上面図、図５（Ｃ）は下面図、図５（Ｄ）は右側面図、図５（Ｅ）は左側面図、図５（Ｆ）は背面図である。図６（Ａ）は図５（Ｄ）におけるＸ２部分の拡大図である。図６（Ｂ）は図５（Ｂ）におけるＸ３部分の拡大図である。図６（Ｃ）は図５（Ｃ）におけるＸ４部分の拡大図である。図７は実施形態の表示部筐体の一部を拡大して示す説明図である。図８（Ａ）は離した状態の裏面側カバーの一部と表面側カバーの一部とを拡大して示す説明図であり、図８（Ｂ）は組み合わせた状態の裏面側カバーの一部と表面側カバーの一部とを拡大して示す説明図である。図９（Ａ）〜図９（Ｃ）はそれぞれ貫通孔の形状の例を示す説明図である。
【００１２】
本実施形態における電子装置１は、いわゆるノートＰＣであり、図１に示すように、本体部５と表示部筐体１０を備えている。本体部５は、キーボード等の入力部６を備えている。表示部筐体１０は、本明細書において開示する筐体の一例である。表示部筐体１０は、ヒンジ装着部１０ａを介して本体部５に対して開閉自在に取り付けられている。
【００１３】
図２を参照すると、表示部筐体１０は、裏面側カバー部材１１、液晶ユニット１２及び表面側カバー部材１５を備えている。また、表示部筐体１０は、補強部材１６ａ、１６ｂを備えている。裏面側カバー部材１１は、第１のカバー部材の一例である。表面側カバー部材１５は、第２のカバー部材の一例である。裏面側カバー部材１１と表面側カバー部材１５とを対向させて組み合わさることで表示部筐体１０が形成される。裏面側カバー部材１１は、樹脂製である。表面側カバー部材１５の材質については、後に説明する。
【００１４】
図３（Ａ）〜図３（Ｆ）を参照すると、裏面側カバー部材１１は、正面側に収納凹部１１ａを備える。収納凹部１１ａには、液晶ユニット１２や補強部材１６ａ、１６ｂが収納される。図４（Ａ）〜図４（Ｃ）を参照すると、収納凹部１１ａの周囲には、爪嵌合部１１ａ１が設けられている。裏面側カバー部材１１と表面側カバー部材１５とが対向した状態で組み合わされるときに、爪嵌合部１１ａ１には、後に詳説する表面側カバー部材１５が備える嵌合爪が嵌合する。裏面側カバー部材１１の背面１１ｂは、外装面となる。裏面側カバー部材１１の下端部には、ヒンジ装着部１０ａの一部となる溝部１１ｃが設けられている。
【００１５】
図５（Ａ）〜図５（Ｆ）を参照すると、表面側カバー部材１５は、矩形の枠状部１３と保護部材１４を備えている。枠状部１３は、液晶ユニット１２の周囲に配置され、液晶ユニット１２の表示部を露出されるために、矩形の開口部を備えている。保護部材１４は、弾性体である弾性部材の一例である。枠状部１３の開口部からは、液晶ユニット１２の表示面が露出する。なお、表面側カバー部材１５は、図５（Ａ）に表れている第１の面１５１と図５（Ｆ）に表れている第２の面１５２を備えている。第１の面１５１は、電子装置１の使用時に、使用者が向き合うこととなる正面であり、表示部筐体１０を折り畳んだ時に、本体部５と対向する面である。第２の面１５２は、表面側カバー部材１５が裏面側カバー部材１１と組み合わされるときに、裏面側カバー部材１１と対向する面である。
【００１６】
図６（Ａ）〜図６（Ｃ）を参照すると、第２の面１５２には、枠状部１３の矩形に沿って、複数の嵌合爪１３ａが設けられている。嵌合爪１３ａは、裏面側カバー部材１１と表面側カバー部材１５とが対向した状態で組み合わされるときに、裏面側カバー部材１１に設けられている爪嵌合部１１ａ１と嵌合する。これにより、裏面側カバー部材１１と表面側カバー部材１５とが相互に固定された状態となる。表面側カバー部材１５の下端部には、ヒンジ装着部１０ａの一部となる溝部１３ｂが設けられている。
【００１７】
図５（Ｆ）を参照すると、枠状部１３は、矩形の右側辺及び左側辺に沿って、複数の貫通孔１３ｃを備えている。この貫通孔１３ｃには、保護部材１４が備える突起部１４ａ１又は突起部１４ｂ１が通過している。この突起部１４ａ１、突起部１４ｂ１については、後に詳述する。
【００１８】
図２や、図５（Ａ）、図７を参照すると、保護部材１４は、枠状部１３の左側辺に沿う左辺部１４ａ、枠状部１３の右側辺に沿う右辺部１４ｂ及び上側辺に沿う上辺部１０ｃを備える。左辺部１４ａ、右辺部１４ｂ及び上辺部１４ｃは、図７Ｘ１部を拡大して示しているように、裏面側カバー部材１１と対向する第２の面１５２の裏側の面、すなわち第１の面１５１に帯状に露出している。左辺部１４ａ、右辺部１４ｂ及び上辺部１４ｃは、表示部筐体１０が閉じられ、本体部５と対向するときに、本体部５の表面と接触することで、液晶ユニット１２を保護する。
【００１９】
保護部材１４は、突起部１４ａ１、突起部１４ｂ１を有する。図８（Ａ）、図８（Ｂ）を参照すると、突起部１４ａ１は、左辺部１４ａに設けられている。突起部１４ａ１は、貫通孔１３ｃを通過して裏面側カバー部材１１側に向かって延びている。そして、突起部１４ａ１は、図８（Ｂ）に示すように、裏面側カバー部材１１と表面側カバー部材１５とが組み合わされた状態とされたときに、補強部材１６ａを裏面側カバー部材１１側に押圧する。突起部１４ｂ１は、右辺部１４ｂに設けられており、突起部１４ａ１と同様に、裏面側カバー部材１１と表面側カバー部材１５とが組み合わされた状態とされたときに、補強部材１６ｂを裏面側カバー部材１１側に押圧する。
【００２０】
ここで、補強部材１６ａ、補強部材１６ｂについて説明する。補強部材１６ａ、１６ｂは、いずれも棒状の板金部材である。補強部材１６ａ、１６ｂは、裏面側カバー部材１１と表面側カバー部材１５との間に配置されている。なお、補強部材１６ａと補強部材１６ｂは、配置されている位置が異なるだけで、その構成は共通するので、以下の説明では、主として補強部材１６ａについて説明する。補強部材１６ａは、断面がＬ字状の棒状の板金部材である。補強部材１６ａは、表示部筐体１０の右側辺に沿って配置されている。なお、補強部材１６ｂは、表示部筐体１０の左側辺に沿って配置されている。補強部材１６ａは、裏面側カバー部材１１の収納凹部１１ａ内に位置決めされて、配置されている。なお、説明の都合上、図８（Ａ）及び図８（Ｂ）において、補強部材１６ａは、裏面側カバー部材１１から離れたように描かれているが、両面テープを介して位置決めするようにしてもよい。補強部材１６ａは、図８（Ｂ）に示すように、裏面側カバー部材１１と表面側カバー部材１５とが組み合わされたときに、突起部１４ａ１によって裏面側カバー部材１１側に押圧されて固定状態とされる。
【００２１】
このように、補強部材１６ａ、補強部材１６ｂを押圧する保護部材１４は、エラストマによって成型されている。一方、枠状部１３は、樹脂製である。保護部材１４は、枠状部１３に対し、接合されることで、一体化されている。ここで、保護部材１４は、枠状部１３に対し、例えば、接着剤等を用いて接合され、一体化されることができる。本実施形態においては、いわゆる２色成形によって両者を接合し、一体化を図っている。２色成形は、２材成形等とも称され、２種の異なる材料を成形により一体化する手法である。接合界面は２種の材料が溶けあう事で接合する場合や、一方の材料側にアンダーカット形状を設け、もう一方の材料をアンダーカット形状部へ充填し、接合する場合等がある。本実施形態では、図８（Ａ）、図８（Ｂ）に示すように、２種の材料が溶けあうことで接合する手法を採用している。
【００２２】
突起部１４ａ１は、補強部材１６ａを押圧するときに、変形する。この変形によって発揮される弾性力によって、補強部材１６ａが固定状態とされる。突起部１４ａ１の変形量は使用する材料及び各部品の公差を考慮して算出し、設定する。ここで、図８（Ａ）、図８（Ｂ）及び図９（Ａ）を参照すると、第２の面１５２側に位置している貫通孔１３ｃの開口縁部に、押圧されて変形した突起部１４ａ１が収納される逃げ代部１３ａ１が設けられている。このように、逃げ代部１３ａ１が設けられていることにより突起部１４ａ１が変形することができ、その弾性力を発揮することができる。なお、本実施形態の逃げ代部１３ａ１は、テーパ形状となっているが、その形状は、テーパ形状に限定されない。
【００２３】
図９（Ａ）を参照すると、本実施形態においては、円形の貫通孔１３ｃを備えており、これに伴って、逃げ代部１３ａ１の形状も円形となっているが、他の形状としてもよい。例えば、図９（Ｂ）に示すように、表示部筐体１０の左右方向に延びる長円形状の貫通孔２３ｃとし、これに合わせて、逃げ代部１３ｃ１の形状も表示部筐体１０の左右方向に延びる長円形状とすることもできる。この場合、突起部２４ａ１の形状も貫通孔２３ｃの形状に対応した形状とする。また、図９（Ｃ）に示すように、表示部筐体１０の上下方向に延びる長円形状の貫通孔３３ｃとし、これに合わせて逃げ代部３３ｃ１の形状も表示部筐体１０の上下方向に延びる長円形状とすることもできる。この場合、突起部３４ａ１の形状も貫通孔３３ｃの形状に対応した形状とする。なお、突起部１４ｂ１についても同様であるので、その詳細な説明は省略する。
【００２４】
本実施形態によれば、図８（Ａ）、図８（Ｂ）に示すように、表面側カバー部材１５を形成する枠状部１３の板厚ｔに相当する長さの突起部１４ａ１の長さ（厚み）を確保することができる。突起部１４ａ１の長さ（厚み）を確保することで、補強部材１６ａを押圧し、固定状態とすることができるだけの変形量、すなわち、弾性力を確保することができる。これにより薄型化された表示部筐体１０において保護部材１４によって補強部材１６ａ（１６ｂ）を固定状態することができる。また、突起部１４ａ１の変形量を確保することで、表示部筐体１０における実装バラつきにも対応することができる。
【００２５】
このように、本実施形態の表示部筐体１０によれば、補強部材１６ａ、補強部材１６ｂをネジ止めすることなく、強固な固定状態とすることが可能となる。これにより、液晶ユニット１２を備える表示部筐体１０の剛性を維持したまま、装置の薄型化や、ネジ止め位置が確保し難い状況への対応が可能となる。
【００２６】
なお、電子装置１によっては、内部に収納される基板等の関係で、例えば、装置の中心側に、逃げ代部を確保し難いことが想定される。そのような場合は、例えば、図１０に示すように、貫通孔４３ｃに対して、筐体の外側に逃げ代部４３ｃ１を設け、突起部４４ａ１の変形部分を装置の外側に位置させるようにすることができる。
【００２７】
以上本発明の好ましい実施形態について詳述したが、本発明は係る特定の実施形態に限定されるものではなく、特許請求の範囲に記載された本発明の要旨の範囲内において、種々の変形、変更が可能である。
【符号の説明】
【００２８】
１  電子装置
５  本体部
１０  表示部筐体
１１  裏面側カバー部材
１２  液晶ユニット
１３  枠状部
１３ｃ、２３ｃ、３３ｃ、４３ｃ  貫通孔
１３ｃ１、２３ｃ１、３３ｃ１，４３ｃ１  逃げ代部
１４  保護部材
１４ａ  左辺部
１４ａ１、２４ａ１、３４ａ１、４４ａ１  突起部
１４ｂ  右辺部
１４ｂ１  突起部
１５  表面側カバー部材
１５１  第１の面
１５２  第２の面
１６ａ、１６ｂ  補強部材
【図１】
2018060900.tif 000003
【図２】
2018060900.tif 000004
【図３】
2018060900.tif 000005
【図４】
2018060900.tif 000006
【図５】
2018060900.tif 000007
【図６】
2018060900.tif 000008
【図７】
2018060900.tif 000009
【図８】
2018060900.tif 000010
【図９】
2018060900.tif 000011
【図１０】
2018060900.tif 000012